(57)【要約】【課題】設定したタイマー等のステータス情報を、視聴を妨げずに表示することが可能な表示システムを提供する【解決手段】設定されたタイマーの時刻情報Ｔを記憶するタイマー記憶装置１０２と、前記時刻情報Ｔをカウントダウンするカウントダウン装置１０３と、前記カウントダウンされた時刻情報Ｔ’の変化に基づいて時間の経過を表すキャラクタが変化するステータス情報Ｓｔを生成するステータス情報生成装置１０４と、外部から入力された映像信号による視聴画面が前記ステータス情報によるキャラクタで妨げられないように前記映像信号Ｖｓと前記ステータス情報Ｓｔを合成した合成信号Ｖｓ”を出力する合成装置１０６と、前記合成信号Ｖｓ”に基づいて画像を表示する表示装置１０７と、を備える。【選択図】  図１
2005091109.tif 000002
【特許請求の範囲】
【請求項１】
設定されたタイマーの時刻情報を記憶するタイマー記憶装置と、
前記時刻情報をカウントするカウント装置と、
前記カウントされた時刻情報の変化に基づいて時間の経過を表すキャラクタが変化するステータス情報を生成するステータス情報生成装置と、
外部から入力された映像信号による視聴画面が前記ステータス情報によるキャラクタで妨げられないように前記映像信号と前記ステータス情報を合成した合成信号を出力する合成装置と、
前記合成信号に基づいて画像を表示する表示装置と、
を備えたことを特徴とする表示システム。
【請求項２】
前記ステータス情報に基づいて前記映像信号をスケーリングし、視聴画面を変形する変換信号を出力するスケーリング装置を備え、前記合成装置は、前記変換信号と前記ステータス情報を合成することを特徴とする請求項１に記載の表示システム。
【請求項３】
前記スケーリング装置は、ステータス情報に基づいて自動的にスケーリング比率を調整することを特徴とする請求項２に記載の表示システム。
【請求項４】
前記ステータス情報を表示する時刻を記憶する表示情報記憶装置を備え、
前記スケーリング装置は、前記表示する時刻になると前記映像信号をスケーリングすることを特徴とする請求項２又は３に記載の表示システム。
【請求項５】
前記ステータス情報生成装置は、複数のタイマー設定情報と相関するステータス情報を生成することを特徴とする請求項１又は２に記載の表示システム。
【発明の詳細な説明】
【技術分野】
【０００１】
本発明はタイマー機能を有する表示システムに関するものである。
【背景技術】
【０００２】
従来、テレビジョン受信装置（テレビ）等の表示装置にはタイマー機能が付随されているものが多い。タイマー機能には、ユーザーが指定した時刻になると電源をオンにするオンタイマー、ユーザーが指定した時刻になると電源をオフにするオフタイマー、ユーザーが指定した時刻になるとチャンネルを切り替えるプログラムタイマー等がある。
【０００３】
これらのタイマー機能は、ユーザーが見たい番組をうっかり忘れたり、テレビを見ていて他の用事を忘れてしまったりすることを防止する効果がある。また、録画機能を内蔵しているテレビシステムにおいては録画予約にこれらのタイマー機能が用いられることもある。
【０００４】
通常、ユーザーがタイマーを設定する場合は、表示画面の中のオンスクリーンディスプレイ（ＯＳＤ）に表示された文字情報を見ながら所望のタイマー設定を行う。タイマー設定が行われると、個別に設けられたＬＥＤや表示画面の端に表示されるＯＳＤなどによってタイマー設定状況をユーザーに知らせるようになっている。
【０００５】
例えば、引用文献１には、現時刻と、前記の各種タイマー時刻の設定用の文字画像情報を同時にオンスクリーン表示する「テレビジョン受像機のタイマー設定方法」が開示されている。
【０００６】
また、引用文献２には、特定時刻あるいは設定時間経過後に特定の文字列あるいはキャラクタを画面を切り替えて表示する、あるいは、特定時刻あるいは設定時間経過後に特定の文字列あるいはキャラクタを現在の画面表示内容に重畳するようにして表示する「テレビジョン受像機」が開示されている。
【０００７】
また、引用文献３には、テレビ使用終了時刻から所定時間だけ直前の時刻よりカウントし、カウントに応じてキャラクタ表示を変化させ、使用者に対して終了時刻を知らせる「テレビジョン受像機」が開示されている。
【０００８】
しかしながら、従来の構成では、表示画面上にＯＳＤやキャラクタを重ね合わせて、あるいは、表示画面とＯＳＤを切り替えて表示するため、視聴していた表示画面の一部若しくは全部が隠れてしまっていた。特に複数のタイマー設定情報を一度に表示する場合には、視聴している表示画面の大部分が隠れてしまうため、視聴を妨げずに設定したタイマーの確認をすることが困難であった。
【０００９】
【特許文献１】特開平４−０５１６８３号公報
【特許文献２】特開平９−２５２４３７号公報
【特許文献３】特開平９−０２３３９１号公報
【発明の開示】
【発明が解決しようとする課題】
【００１０】
本発明は、上記のような従来技術の課題を鑑みなされたもので、その目的とするところは、設定したタイマー等のステータス情報を、視聴を妨げずに表示することが可能な表示システムを提供することにある。
【課題を解決するための手段】
【００１１】
上記目的を達成するために本発明の表示システムにあっては、
設定されたタイマーの時刻情報を記憶するタイマー記憶装置と、
前記時刻情報Ｔをカウントするカウント装置と、
前記カウントされた時刻情報の変化に基づいて時間の経過を表すキャラクタが変化するステータス情報を生成するステータス情報生成装置と、
外部から入力された映像信号による視聴画面が前記ステータス情報によるキャラクタで妨げられないように前記映像信号と前記ステータス情報を合成した合成信号を出力する合成装置と、
前記合成信号に基づいて画像を表示する表示装置と、
を備えたことを特徴とする。
【発明の効果】
【００１２】
本発明の表示システムによれば、設定したタイマー等のステータス情報を、視聴を妨げずに表示することが可能となる。
【発明を実施するための最良の形態】
【００１３】
以下に実施例を参照して、この発明を実施するための最良の形態を例示的に詳しく説明する。ただし、この実施例に記載されている構成は、特定的な記載がない限りは、この発明の範囲をそれらのみに限定する趣旨のものではない。また、以下の説明で一度説明した構成については、特に改めて記載しない限り初めの説明と同様のものである。
【実施例１】
【００１４】
はじめに、図１を参照して実施例１に係る構成の概略を説明する。図１は、実施例１に係る表示システム１００のブロック図である。
【００１５】
タイマー設定手段１０１は、ユーザーがリモコンやテレビ本体のスイッチなどを操作することによって、タイマーの時刻情報、例えば、ユーザーが指定した時刻になると電源をオンにするオンタイマー、ユーザーが指定した時刻になると電源をオフにするオフタイマー、ユーザーが指定した時刻になるとチャンネルを切り替えるプログラムタイマー等を設定することができる。
【００１６】
タイマー記憶装置１０２は、設定されたタイマーの時刻情報Ｔを記憶する。この時、オフタイマーならば時刻情報Ｔだけを記憶し、オンタイマー及びプログラムタイマーならば時刻情報Ｔとチャンネル情報を記憶する。
【００１７】
カウント装置としてのカウントダウン装置１０３は、タイマー記憶装置１０２に記憶された時刻情報Ｔを読み出しカウントダウンして再びタイマー記憶装置１０２に格納する。
【００１８】
ステータス情報生成装置１０４は、タイマー記憶装置１０２に記憶されているカウントダウンされた時刻情報Ｔ’からユーザーが視覚的にわかりやすいステータス情報Ｓｔを生成する。ステータス情報Ｓｔはタイマー記憶装置１０２に記憶されている時刻情報Ｔ’の変化に従って刻々と変化する。
【００１９】
スケーリング装置１０５は、不図示の放送波受信装置や外部映像機器から入力された映像信号Ｖｓの解像度を後述する表示装置１０７の表示に適した解像度にするためにスケーリング（拡大／縮小）を行い、映像信号Ｖｓを変換して変換信号Ｖｓ’を出力する。また、ステータス情報生成装置１０４によってステータス情報Ｓｔが生成されている場合は、映像信号Ｖｓによる画像とステータス情報Ｓｔによる画像が表示画面上で重ならないよう
に、ステータス情報Ｓｔに基づいて映像信号Ｖｓの解像度の変換を行い、変換信号Ｖｓ’を出力する。
【００２０】
合成装置１０６は、映像信号Ｖｓの解像度をスケーリング（拡大／縮小）変換された変換信号Ｖｓ’と、ステータス情報生成装置１０４によって生成されたステータス情報Ｓｔとを合成した合成信号Ｖｓ”を出力する。
【００２１】
表示装置１０７は、合成信号Ｖｓ”に基づいて合成画像を表示する。
【００２２】
本実施例に係る表示システム１００は、上述のタイマー設定手段１０１、タイマー記憶装置１０２、カウントダウン装置１０３、ステータス情報生成装置１０４、スケーリング装置１０５、合成装置１０６、表示装置１０７を備えている。
【００２３】
次に、実施例１に係る構成により表示される合成画像について説明する。図２は、実施例１に係る合成画像の一例を示す模式図である。
【００２４】
表示装置２０７は、視聴画面２０１を備えており、合成信号Ｖｓ”に基づいて動画や静止画を表示する。また、視聴画面２０１の下方には、原点位置２０２とカーソル２０３が表示されている。ここで、原点位置２０２及びカーソル２０３は、ステータス情報生成装置１０４によって生成されたステータス情報Ｓｔに基づいた表示である。
【００２５】
カーソル２０３は、視聴画面２０１の外枠に沿って図２に示す矢印の方向に移動する。このカーソル２０３の動きによってユーザーが設定したタイマーの残り時間を表現する。
【００２６】
原点位置２０２は、カーソル２０３のスタート位置と終点位置を示す。図２ではカーソル２０３は画面右下からスタートして時計回りに視聴画面２０１の外枠に沿って移動し、右下の原点位置２０２まできた時にタイマー設定時刻となることを表している。
【００２７】
タイマー設定時刻になるとユーザーによって設定された動作を実行する。すなわち、オフタイマーが設定されていれば電源をオフにし、プログラムタイマーならば設定されたチャンネルにチャンネル切り替えを行う。
【００２８】
視聴画面２０１は、ステータス情報と重ならないようにスケーリング装置１０５によって縦方向と横方向に縮小されている。この時のスケーリング（縮小）比率はステータス情報生成装置１０４が生成するステータス情報Ｓｔの大きさに基づいて自動的に設定される。これにより、設定したタイマー等のステータス情報を、視聴を妨げずに表示することができる。
【００２９】
図３は、実施例１に係る合成画像の他の一例を示す模式図である。
【００３０】
表示装置３０７は、視聴画面３０１を備えており、合成信号Ｖｓ”に基づいて動画や静止画を表示する。また、視聴画面３０１の下方には棒グラフ３０２が表示されている。ここで、棒グラフ３０２は、ステータス情報生成装置１０４によって生成されたステータス情報Ｓｔに基づいた表示である。
【００３１】
棒グラフ３０２は、初期画面では画面横幅いっぱいに黒い棒グラフとして表現される。そして、ユーザーが設定したタイマーの残り時間によって棒グラフ３０２は徐々に短くなる。棒グラフ３０２が画面左端まで短くなり黒い部分が消えた時にユーザーが設定したタイマーの動作を実行する。
【００３２】
視聴画面３０１は、ステータス情報と重ならないようにスケーリング装置１０５によって縦方向に縮小されている。この時の縮小比率はステータス情報生成装置１０４が生成するステータス情報Ｓｔの大きさによって自動的に設定される。これにより、設定したタイマー等のステータス情報を、視聴を妨げずに表示することができる。
【００３３】
また、上述のようにステータス情報はキャラクタで形成され、棒グラフや時計の針などのような形を形成する。そして、１秒毎、若しくは１分毎などのような比較的短時間にその形状を刻々と変化させる。これにより、ユーザーに時間の変化の情報を視覚的にわかりやすく提供することができる。
【実施例２】
【００３４】
図４を参照して実施例２に係る構成の概略を説明する。図４は、実施例２に係る表示システム４００のブロック図である。
【００３５】
タイマー設定手段４０１は、ユーザーがリモコンやテレビ本体のスイッチなどを操作することによって、タイマーの時刻情報、例えば、ユーザーが指定した時刻になると電源をオンにするオンタイマー、ユーザーが指定した時刻になると電源をオフにするオフタイマー、ユーザーが指定した時刻になるとチャンネルを切り替えるプログラムタイマー等を設定することができる。
【００３６】
タイマー記憶装置４０２は、設定されたタイマーの時刻情報Ｔを記憶する。この時、オフタイマーならば時刻情報Ｔだけを記憶し、オンタイマー及びプログラムタイマーならば時刻情報Ｔとチャンネル情報を記憶する。
【００３７】
カウントダウン装置４０３は、タイマー記憶装置４０２に記憶された時刻情報Ｔを読み出しカウントダウンして再びタイマー記憶装置４０２に格納する。
【００３８】
ステータス情報生成装置４０４は、タイマー記憶装置４０２に記憶されているカウントダウンされた時刻情報Ｔ’からユーザーが視覚的にわかりやすいステータス情報Ｓｔを生成する。ステータス情報Ｓｔはタイマー記憶装置４０２に記憶されている時刻情報の変化に従って刻々と変化する。
【００３９】
スケーリング装置４０５は、不図示の放送波受信装置や外部映像機器から入力された映像信号Ｖｓの解像度を後述する表示装置４０７の表示に適した解像度にするためにスケーリング（拡大／縮小）を行い、映像信号Ｖｓを変換して変換信号Ｖｓ’を出力する。また、ステータス情報生成装置４０４によってステータス情報Ｓｔが生成されている場合は、映像信号Ｖｓによる画像とステータス情報Ｓｔによる画像が表示画面上で重ならないように、ステータス情報Ｓｔに基づいて映像信号Ｖｓの解像度の変換を行い、変換信号Ｖｓ’を出力する。
【００４０】
表示情報設定手段４０８は、タイマー設定手段４０１と同様にユーザーの指示に従って設定された表示情報Ｄｉを出力する。表示情報Ｄｉとはステータス情報を表示する時刻や表示する位置などを予め設定しておくものである。例えば、表示情報Ｄｉの時刻設定を「５分」とすると、タイマー設定後すぐにステータス情報を表示せずにタイマー設定時刻の５分前にステータス情報を表示することが可能となる。また、図３に示す棒グラフのようなステータス情報の場合、視聴画面の上下左右どの位置に表示するかを設定することが可能となり、ユーザーの好みに合わせて表示位置を変更することができる。
【００４１】
表示情報記憶装置４０９は、表示情報Ｄｉを記憶する。そして、記憶している表示情報Ｄｉとタイマー記憶装置４０２から出力されたタイマー情報Ｔ”とを比較し、表示情報Ｄ
ｉに設定された情報（例えば、ステータス情報を表示する時間や場所）に基づいてスケーリング指示信号Ｐｓをスケーリング装置４０５に対して発する。
【００４２】
スケーリング装置４０５は、前記スケーリング指示信号Ｐｓに基づいて映像信号Ｖｓの変換を行う。
【００４３】
合成装置４０６は、映像信号Ｖｓの解像度をスケーリング（拡大／縮小）変換された変換信号Ｖｓ’とステータス情報生成装置４０４によって生成されたステータス情報Ｓｔとを合成した合成信号Ｖｓ”を出力する。
【００４４】
表示装置４０７は、合成信号Ｖｓ”に基づいて合成画像を表示する。
【００４５】
本実施例に係る表示システム４００は、上述のタイマー設定手段４０１、タイマー記憶装置４０２、カウントダウン装置４０３、ステータス情報生成装置４０４、スケーリング装置４０５、合成装置４０６、表示装置４０７、表示情報設定手段４０８、表示情報記憶装置４０９を備えている。
【００４６】
図５は、表示情報記憶装置４０９のスケーリング指示の一例を示す波形図である。
【００４７】
ＨＳＹＮＣは水平同期信号であり、１周期で１ラインの時間を表している。ＡＣＴ＿１、ＡＣＴ＿２はスケーリング指示信号、ＳＴ＿１はステータス情報を表している。
【００４８】
ＡＣＴ＿１は画面全域に映像信号を表示している場合のスケーリング指示信号Ｐｓであり、ＡＣＴ＿１がＨｉの期間の間に映像信号を出力する、ということを表している。つまりＨＳＹＮＣパルスからＡＣＴ＿１がＬｏｗの期間はブランキング期間を表している。
【００４９】
ここで表示情報記憶装置４０９に記憶されている表示情報Ｄｉに符合したタイマー情報Ｔ”が入力されると、スケーリング指示信号ＰｓはＡＣＴ＿１からＡＣＴ＿２に変わる。スケーリング装置４０５はＡＣＴ＿１がＨｉの期間に映像信号を出力できるようにスケーリングを行う。
【００５０】
合成装置４０６は、スケーリング指示信号ＰｓがＬｏｗの時だけステータス情報Ｓｔを合成する。したがって、スケーリング指示信号がＡＣＴ＿１の場合、ＳＴ＿１はＡＣＴ＿１に隠れてしまうため、ステータス情報は合成されない。一方、スケーリング指示信号がＡＣＴ＿２の場合、ＡＣＴ＿２がＬｏｗの時にＳＴ＿１がＨｉとなっているので、ステータス情報Ｓｔが合成されて出力される。
【００５１】
なお、上記説明は水平同期信号に関して行われているが、縦方向における垂直同期信号に関して同様の手法によってステータス情報の合成を行うことが可能である。
【００５２】
このようにして、表示情報記憶装置４０９のスケーリング指示に従って、ステータス情報の合成を制御することが可能となる。
【実施例３】
【００５３】
図６は実施例３に係る複数のタイマー予約を行った場合の合成画像を示す模式図である。
【００５４】
図６（ａ）に示すように、表示装置６０７は、視聴画面６０１を備えており、合成信号Ｖｓ”に基づいて動画や静止画を表示する。また、視聴画面６０１の下方には、「予約１」「予約２」「予約３」という文字情報６０２と、それぞれに対応した時間的ステータス
情報としての円グラフ６０３が表示されている。
【００５５】
本実施例ではステータス情報は円グラフで表示されおり、円グラフの白い部分が残り時間を表している。つまり、図６（ａ）に示す例では、予約１がもっとも早く実行され、次に予約２、最後に予約３が実行される。
【００５６】
図６の円グラフの白い部分と黒い部分の比率は全てのタイマー予約の設定時間によって決定される。この表示状態の説明を図６（ｂ）、（ｃ）を用いて行う。
【００５７】
図６（ｂ）、（ｃ）は予約が設定された時の時間的ステータス情報の表示状態を表している。
【００５８】
図６（ｂ）に示す円グラフは、予約１で「１時間後に○チャンネルに切り替え」という設定が行われた直後の時間的ステータス情報を表している。予約が行われた直後なので円グラフの黒い部分は少なく、１時間で円グラフが全て黒になるように徐々に表示が変化してゆく。
【００５９】
図６（ｃ）に示す円グラフは、予約１が行われた直後にさらに予約２で「２時間後に△チャンネルに切り替え」という設定が行われた場合の予約１、予約２の時間的ステータス情報の表示状態を表している。予約２の円グラフは予約が行われた直後なので円グラフの黒い部分は少なく、２時間で円グラフが全て黒になるように徐々に表示が変化してゆく。また予約２の設定情報は予約１にも反映される。すなわち予約１の設定時刻までの残り時間が約１時間あるとしたら予約２の設定時刻「２時間」のうち１時間がすでに経過したものとして円グラフが再生成される。
【００６０】
このように複数のタイマー設定情報と相関するステータス情報Ｓｔを生成するようにステータス情報生成装置を構成することで、それぞれのステータス情報の表示方法を変えることも可能である。
【００６１】
なお、本実施例では「何時間後に切り替え」という残り時間設定の例を説明したが、「何時何分に切り替え」という時刻設定としてもよい。
【００６２】
前述した実施例をまとめると下記の通りである。
【００６３】
［１］設定されたタイマーの時刻情報Ｔを記憶するタイマー記憶装置１０２（４０２）と、
前記時刻情報Ｔをカウントするカウント装置１０３（４０３）と、
前記カウントされた時刻情報Ｔ’の変化に基づいて時間の経過を表すキャラクタが変化するステータス情報Ｓｔを生成するステータス情報生成装置１０４（４０４）と、
外部から入力された映像信号による視聴画面が前記ステータス情報によるキャラクタで妨げられないように前記映像信号Ｖｓと前記ステータス情報Ｓｔを合成した合成信号Ｖｓ”を出力する合成装置１０６（４０６）と、
前記合成信号Ｖｓ”に基づいて画像を表示する表示装置１０７（４０７）と、
を備えたことを特徴とする表示システム１００（４００）。
【００６４】
ここで、ステータス情報は、時間の経過に従って変化し、ユーザーに時間の経過を知らせるものであり、タイマー設定された時刻情報を取得し、時刻を表す数値情報を視覚的にわかりやすく生成したものである。また、本発明においては、時間の経過は、カウント装置によって計時されればよく、残り時間のカウントダウンとは、設定された時刻まで現時刻からカウントアップと同義である。
【００６５】
これによれば、設定したタイマー等のステータス情報を、視聴を妨げずに表示することが可能となる。
【００６６】
また、ユーザーが視聴していた視聴画面をできるだけ損なわないように縮小処理を行い、縮小された視聴画面とステータス情報とを合成し表示するとよい。この場合の合成方法は画像同士を重畳したり切り替えたりすることなく、画像同士を組み合わせて表示する。すなわち、視聴画面の画像データの存在しない部分にステータス情報を表示するという手法である。したがって、設定したタイマー等のステータス情報を、視聴を妨げずに表示することが可能となる。
【００６７】
［２］前記ステータス情報Ｓｔに基づいて前記映像信号Ｖｓをスケーリングし、視聴画面を変形する変換信号Ｖｓ’を出力するスケーリング装置１０５（４０５）を備え、前記合成装置１０６（４０６）は、前記変換信号Ｖｓ’と前記ステータス情報Ｓｔを合成することを特徴とする［１］に記載の表示システム１００（４００）。
【００６８】
［３］前記スケーリング装置１０５（４０５）は、ステータス情報Ｓｔに基づいて自動的にスケーリング比率を調整することを特徴とする［２］に記載の表示システム１００（４００）。
【００６９】
［４］前記ステータス情報Ｓｔを表示する時刻を記憶する表示情報記憶装置４０９を備え、
前記スケーリング装置４０５は、前記表示する時刻になると前記映像信号Ｖｓをスケーリングすることを特徴とする［２］又は［３］に記載の表示システム４００。
【００７０】
これによれば、タイマー設定時にステータス情報による表示をオフにしていた場合でも、急に画面が切り替わるのではなく、視聴を妨げない事前アナウンスが可能となる。
【００７１】
［５］前記ステータス情報生成装置１０４（４０４）は、複数のタイマー設定情報と相関するステータス情報Ｓｔを生成することを特徴とする［１］又は［２］に記載の表示システム１００（４００）。
【００７２】
これによれば、複数のタイマー設定を行った場合でも、タイマーの設定状況が一目でわかるような表示も可能となる。
【図面の簡単な説明】
【００７３】
【図１】実施例１に係るブロック図である。
【図２】実施例１に係る合成画像の一例を示す模式図である。
【図３】実施例１に係る合成画像の他の一例を示す模式図である。
【図４】実施例２に係るブロック図である。
【図５】表示記憶装置のスケーリング指示の一例を示す波形図である。
【図６】実施例３に係る複数のタイマー予約を行った場合の合成画像を示す模式図である。
【符号の説明】
【００７４】
１００、４００  表示システム
１０１、４０１  タイマー設定手段
１０２、４０２  タイマー記憶装置
１０３、４０３  カウント装置
１０４、４０４  ステータス情報生成装置
１０５、４０５  スケーリング装置
１０６、４０６  合成装置
１０７、２０７、３０７、４０７  表示装置
２０１、３０１、６０１  視聴画面
２０２  原点位置
２０３  カーソル
３０２  棒グラフ
４０８  表示情報設定手段
４０９  表示情報記憶装置
６０２  文字情報
６０３  円グラフ
６０７  
Ｄｉ  表示情報
Ｐｓ  スケーリング指示信号
Ｓｔ  ステータス情報
Ｔ、Ｔ’  時刻情報
Ｔ”  タイマー情報
Ｖｓ  映像信号
Ｖｓ’  変換信号
Ｖｓ”  合成信号
【図１】
2005091109.tif 000003
【図２】
2005091109.tif 000004
【図３】
2005091109.tif 000005
【図４】
2005091109.tif 000006
【図５】
2005091109.tif 000007
【図６】
2005091109.tif 000008